(57)【要約】【課題】      スプ−ル軸やピニオンの軸芯精度を向上して良好な回転操作が得られると共にリ−ルを小型化した魚釣用リ−ルを提供することである。【解決手段】  側板３の右外側に筒部３ｃと透孔３ｄが形成され、筒部３ｃ内に軸受１８が取り付けられている。  筒部３ｃの外周には螺子体４が回り止め嵌合されて接着剤、圧入、カシメ等で固定され、螺子体４の外周に螺子部４ａが形成されている。  螺子部４ａにはキャップ５が螺合され、筒部３ｃの端部に押圧杆２６の頭部が回り止め支持され、押圧杆２６はピニオン７の貫通孔７ｃに挿入されて他端はスプ−ル軸６の中径軸部６ｃの端部に当接されている。  ピニオン７は軸受１７と軸受１８で保持されている。【選択図】        図３
2007089534.tif 000002
【特許請求の範囲】
【請求項１】
スプ−ルを有するスプ−ル軸をリ−ル本体に回転自在に支持すると共に、該リ−ル本体を構成する一方の側板に設けた筒部に螺合したキャップの回転操作により、前記スプ−ル軸の端部を押圧して前記スプ−ルの回転に抵抗力を付与可能とした魚釣用リ−ルにおいて、前記側板に筒部を一体形成すると共に、該筒部に外周に螺子部を形成した螺子体を固定したことを特徴とする魚釣用リ−ル。
【発明の詳細な説明】
【技術分野】
【０００１】
本発明は、スプ−ル軸や駆動機構のピニオンの軸芯精度を向上すると共にリ−ルを小型化した魚釣用リ−ルの改良に関するものである。
【背景技術】
【０００２】
従来スプ−ル軸とハンドル軸は接近して並設されているので、ハンドル側の側板にスプ−ル軸やハンドル軸を保持する軸受を収容する筒部を側板に一体に形成し、且つスプ−ル軸側の筒部外周に、スプ−ル軸の回転に抵抗力を付与するキャップを螺合する螺子部を形成することは、スプ−ル軸側筒部とハンドル軸側筒部が近接しているため極めて困難で、螺子部を形成可能にするとリ−ルが大型化してしまう。
又、筒部外周に金型で螺子部を形成すると、金型構造が複雑化すると共に、高精度の螺子部の形成が難しい。
そのため従来は特許文献１及び特許文献２のように、ハンドル側の側板に、外周に螺子部が形成された別体の筒部を固定してキャップを螺合し、キャップの回転操作で、スプ−ル軸の端部を直接または押圧杆を介して押圧していた。
このように別体の筒部をハンドル側の側板に固定すると、側板の表面処理後、別体の筒部をカシメ固定するため、表面処理のバラツキに依り軸芯の高精度化が難しく、スプ−ル軸の端部または押圧杆を保持する軸受の軸芯が偏芯して良好な回転操作が得られなくなる。
【特許文献１】実開昭６０−５３７０号公報
【特許文献２】特開平８−２４２７３０号公報
【発明の開示】
【発明が解決しようとする課題】
【０００３】
解決しようとする問題点は、側板に筒部を一体に形成して外周に螺子部を形成すると螺子加工が難しくリ−ルが大型になること、及び筒部を側板に別体で固定すると軸芯がずれて良好な回転操作が得られなくなることである。
【０００４】
本発明の目的は前記欠点に鑑み、スプ−ル軸やピニオンの軸芯精度を向上して良好な回転操作が得られると共にリ−ルを小型化した魚釣用リ−ルを提供することである。
【課題を解決するための手段】
【０００５】
本発明の請求項１は、スプ−ルを有するスプ−ル軸をリ−ル本体に回転自在に支持すると共に、該リ−ル本体を構成する一方の側板に設けた筒部に螺合したキャップの回転操作により、前記スプ−ル軸の端部を押圧して前記スプ−ルの回転に抵抗力を付与可能とした魚釣用リ−ルにおいて、前記側板に筒部を一体形成すると共に、該筒部に外周に螺子部を形成した螺子体を固定したことを要旨とするものである。
【発明の効果】
【０００６】
本発明の請求項１によれば、筒部内の軸受とスプ−ル軸又はピニオンの軸芯の高精度化が可能となり、良好な巻取操作時の回転性能やスプ−ルフリ−性能が得られると共にキャップによる回転操作も精密感をもって行える。
【発明を実施するための最良の形態】
【０００７】
側板３の右外側に筒部３ｃと透孔３ｄが形成され、筒部３ｃ内に軸受１８が取り付けられている。
筒部３ｃの外周には別体の螺子体４が回り止め嵌合されて接着剤や圧入、カシメ等で固定されている。
螺子体４の外周に螺子部４ａが形成されている。
螺子部４ａにはキャップ５が螺合されている。
キャップ５内にスラスト板１９が取り付けられている。
ピニオン７の内部には貫通孔７ｃと左端に凹部７ｄとクラッチピン２３が係止されるスリ割からなるクラッチ機構の係合部７ｅが形成されている。
貫通孔７ｃには右端から押圧杆２６が挿入されている。
押圧杆２６の頭部はキャップ５内に収容され、他端はスプ−ル軸６の中径軸部６ｃの端部に当接されている。
【実施例１】
【０００８】
以下、図示の実施例によって本発明を説明すると、図１は魚釣用リ−ルの要部断面平面図、図２はリ−ル本体の反ハンドル側の要部拡大断面平面図、図３はリ−ル本体のハンドル側の要部拡大断面平面図、図４はキャップのみ断面で示したリ−ル本体のハンドル側の要部拡大平面図、図５は側板の筒部と螺子体の拡大要部断面平面図、図６は図５のＦ６−Ｆ６断面線の断面側面図である。
【０００９】
魚釣用リ−ルのリ−ル本体Ａは側枠１と側板２と側板３で構成されている。
側枠１は左側枠１ａと右側枠１ｂが図示しない支柱とリ−ル脚１０の図示しない固定板と指載せ板１１で平行に保持されている。
左側枠１ａの左外側には支持板２′と側板２が取り付けられ、右側枠１ｂの右外側に支持板３′と側板３が取り付けられている。
左側枠１ａの透孔１ｃに支持板２′に形成されたスプ−ルカバ−部２ａの外周が嵌合されている。
支持板２′のスプ−ルカバ−部２ａの中心には筒部２ｂが形成されて筒部２ｂ内に軸受１２が取り付けられている。
側板２の内側には筒部２ｃが形成されて軸受１３とスラスト板１４とシ−ル材１５が取り付けられている。
【００１０】
右側枠１ｂの透孔１ｄに支持板３′に形成されたスプ−ルカバ−部３ａの外周が嵌合されている。
支持板３′のスプ−ルカバ−部３ａの中心には筒部３ｂが形成され、筒部３ｂ内に軸受１６と軸受１７が取り付けられている。
筒部３ｂ位置に対応する側板３の右外側に筒部３ｃと透孔３ｄが形成され、筒部３ｃ内に軸受１８が取り付けられている。
筒部３ｃの外周には螺子体４が回り止め嵌合されて接着剤や圧入、カシメ等で固定されている。
螺子体４の外周に螺子部４ａが形成されている。
筒部３ｃの外周軸線方向に溝３ｅが形成され、螺子体４の内周の軸線方向に凸部４ｂが形成されている。
螺子部４ａにはキャップ５が螺合されている。
キャップ５内にスラスト板１９が取り付けられている。
筒部３ｃ外周とキャップ５内にはクリック機構が設けられている。
螺子体４が固定される筒部３ｃの外周及び螺子体４の内周は、非円形に形成されて回り止め嵌合固定される他、両者が円形に形成されて回り止め固定されるように構成してもよい。
要するに両者が回り止め固定されれば良く、固定手段は限定されない。
【００１１】
左右両側枠１ａ、１ｂ間にスプ−ル２０がスプ−ル軸６の太径部６ａに固定配置されている。
太径部６ａの左右の中径軸部６ｂ、６ｃは軸受１２、１６で回転自在に軸承されている。
中径軸部６ｂには周溝６ｄと回り止め部６ｅが形成されて歯車２１が回り止め嵌合されてＥリング２２で抜け止めされている。
中径軸部６ｂの左側の中径部６ｆ外周にはシ−ル材１５が嵌合されている。
中径部６ｆの左側の一側小径軸部６ｇは側板２に取り付けられた軸受１３で回転自在に軸承されている。
【００１２】
中径軸部６ｃの右側にクラッチピン２３が軸芯に直交するように固定されている。
軸受１７、１８にはピニオン７が左右に移動自在に嵌合されてハンドル軸２４に摩擦結合された駆動歯車２５に噛合されている。
ピニオン７の外周にはピニオン歯７ａと外周溝７ｂが形成されている。
ピニオン７の内部には貫通孔７ｃと左端に凹部７ｄとクラッチピン２３が係止されるスリ割からなるクラッチ機構の係合部７ｅが形成されている。
通孔７ｃには右端から押圧杆２６が挿入されている。
押圧杆２６の頭部２６ａは筒部３ｃの端部に回り止め支持され、他端はスプ−ル軸６の中径軸部６ｃの端部に当接されている。
【００１３】
支持板３′の右外側には凹部３ｆが形成されて軸受２７が嵌合され、前記ハンドル軸２４の一端２４ａが回転自在に嵌合されて抜け止め板２８で抜け止めされている。
側板３に筒部３ｇが形成されて筒部３ｇ内に凹部３ｈと透孔３ｉが形成されている。
凹部３ｈには軸受２９が嵌合されて取り付けられている。
軸受２９でハンドル軸２４が、ハンドル軸２４の軸線方向に移動自在に回り止め嵌合されたカラ−３０を介して軸承されている。
スプ−ル２０はクラッチ機構とピニオン７と駆動歯車２５とハンドル軸２４に取り付けられたハンドル３１を介して回転されるように構成されている。
スプ−ル２０の外周には釣糸３２が巻回されて釣糸３２はスプ−ル２０より前方の左右両側枠１ａ、１ｂ間に配置されたレベルワインド装置Ｂで左右に案内される。
【００１４】
クラッチ機構のクラッチピン２３と係合部７ｅの係合が解除されてスプ−ルフリ−状態でスプ−ル２０の回転に抵抗力が掛けられる時は、キャップ５が回動されると押圧杆２６が前進後退されてスプ−ル軸６の中径軸部６ｃの端部を押圧または緩め、押圧した時スプ−ル軸６の一側小径軸部６ｇは側板２の内側の筒部２ｃ内のスラスト板１４に押圧される。
筒部３ｃ内の軸受１８とスプ−ル軸６又はピニオン７の軸芯が他の軸受１３、１６、１７の軸芯と同一の高精度化がなされれば、良好な巻取操作時の回転性能やスプ−ルフリ−性能が得られる。
キャップ５の軸芯は軸受１８の軸芯と仮に相違していたとしてもスプ−ル軸６又はピニオン７の回転性能やスプ−ルフリ−性能に悪影響はない。
【００１５】
前記のように魚釣用リ−ルが構成されると、筒部３ｃ内の軸受１８とスプ−ル軸６又はピニオン７の軸芯の高精度化が可能となり、良好な巻取操作時の回転性能やスプ−ルフリ−性能が得られると共にキャップ５による回転操作も精密感をもって行える。
【産業上の利用可能性】
【００１６】
なお、本発明は、前述した実施形態に限定されることなく、その要旨を逸脱しない範囲で種々変形実施できることは言うまでもない。
【図面の簡単な説明】
【００１７】
【図１】魚釣用リ−ルの要部断面平面図である。
【図２】リ−ル本体の反ハンドル側の要部拡大断面平面図である。
【図３】リ−ル本体のハンドル側の要部拡大断面平面図である。
【図４】キャップのみ断面で示したリ−ル本体のハンドル側の要部拡大平面図である。
【図５】側板の筒部と螺子体の拡大要部断面平面図である。
【図６】図５のＦ６−Ｆ６断面線の断面側面図である。
【符号の説明】
【００１８】
Ａ  リ−ル本体
３  側板
３ｃ  筒部
４  螺子体
４ａ  螺子部
５  キャップ
６  スプ−ル軸
２０  スプ−ル
【図１】
2007089534.tif 000003
【図２】
2007089534.tif 000004
【図３】
2007089534.tif 000005
【図４】
2007089534.tif 000006
【図５】
2007089534.tif 000007
【図６】
2007089534.tif 000008